(57)【特許請求の範囲】
【請求項１】
紙幣番号を読み取る複数の紙幣取扱装置と、
前記複数の紙幣取扱装置によってそれぞれ読み取られた紙幣番号データを所定のネットワークを介して受け取って管理する管理装置とを備え、
前記紙幣取扱装置は、
顧客に釣銭として渡した紙幣の紙幣番号データを読み取るとともに、前記顧客に釣銭として紙幣を渡す際に前記顧客から受け取った紙幣の紙幣番号データを読み取る読取部と、
前記読取部によって読み取った前記顧客に釣銭として渡した紙幣の紙幣番号データを前記紙幣取扱装置の識別情報と読み取り時刻情報に関連付けて前記管理装置へ送信するとともに、前記顧客から受け取った紙幣の紙幣番号データを前記管理装置へ送信する送信部を有し、
前記管理装置は、
前記釣銭として渡された紙幣の紙幣番号データを前記紙幣取扱装置の識別情報と読取時刻情報に関連付けて記憶するとともに、前記顧客から受け取った紙幣の紙幣番号データを関連付けて記憶する紙幣番号データベースと、
予め決められた複数の検索キーの中から少なくとも一の検索キーに基づいて、前記紙幣番号データベースを検索して検索結果を出力する出力部と、
前記顧客から受け取った紙幣の紙幣番号データのうち前記紙幣番号データベースに新規に登録されるものを合算し、さらに前記顧客に既に釣銭として支払われている紙幣の紙幣番号データの紙幣の金額を上記合算した金額から差し引いた金額に基づいて前記顧客の所持金を予測する予測部と、を有することを特徴とする紙幣管理システム。
【請求項２】
前記一の検索キーは、紙幣番号データであり、
前記出力部は、前記検索キーとしての紙幣番号データに基づいて前記紙幣番号データベースを検索して一の紙幣番号に対応する複数の紙幣取扱装置の識別情報を時系列に出力することを特徴とする請求項１に記載の紙幣管理システム。
【発明の詳細な説明】
【技術分野】
【０００１】
本発明は、紙幣管理システムに関する。
【背景技術】
【０００２】
従来、顧客の情報を収集するシステムにおいて、ＰＯＳ（Ｐｏｉｎｔ  Ｏｆ  Ｓａｌｅｓ）システムなどが知られている。コンビニエンスストア、スーパーマーケット、小売店舗等（以下店舗等）で物品などを販売するごとに物品の販売情報を記録し、その集計結果を在庫管理やマーケティング素材として用いるシステムである。ＰＯＳシステムでは、物品に関する情報として、年齢層、天気、性別等が収集される。そのため顧客の購買ルートを知る上で、広く利用されているシステムである。
【０００３】
また、更に詳細な顧客情報を収集するため、例えばＩＣタグを使用した位置情報システム（特許文献１参照）が開示されている。この発明における位置情報システムではＩＣタグを付与された物品が何処に移動したかをＩＣタグリーダ、カメラ、解析画像処理装置、記憶装置を用いて追跡する。例えば、店舗等で物品がＩＣタグリーダを経由した時に、物品と、その紙幣を使用した顧客の画像情報を関連付けることによって、その後の物品と顧客の購買パターンを追跡する。
【０００４】
【特許文献１】特開２００８-３７５３
【発明の開示】
【発明が解決しようとする課題】
【０００５】
しかしながら、このシステムにおいては、ＩＣタグが付与された物品を対象としており、場所や状態によっては、追跡できない場合があり得る。例えば、食品の包装にＩＣタグが付与されている場合は、包装を取り除くことにより、ＩＣタグの場所と顧客とを関連づけることができなくなる。つまり、購買後物品を携えた状態の時のみ顧客の購買ルートの追跡が可能であるため、追跡の空間的・時間的範囲が限られる。そのため、ＩＣタグの情報からは店舗等の経営者か顧客の要望に充分叶う情報提供とサービスを行うことが困難であった。
【０００６】
そこで、本発明は、上記問題点を鑑みてなされたものであり、一定の確実性をもって、顧客の購買パターンを把握することができる紙幣管理システムを提供することを、目的とする。
【課題を解決するための手段】
【０００７】
本発明の紙幣管理システムは、紙幣番号を読み取る読取部を有する複数の紙幣取扱装置と、前記複数の紙幣取扱装置の読取部によってそれぞれ読み取られた紙幣番号データを所定のネットワークを介して受け取って管理する管理装置とを備え、前記紙幣取扱装置は、前記読取部によって読み取った顧客に釣銭として渡した紙幣の紙幣番号データを前記紙幣取扱装置の識別情報と読み取り時刻情報に関連付けて前記管理装置へ送信する送信部を有し、前記管理装置は、前記釣銭として渡された紙幣の紙幣番号データを前記紙幣取扱装置の識別情報と読取時刻情報に関連付けて記憶する紙幣番号データベースと、予め決められた複数の検索キーの中から少なくとも一の検索キーに基づいて、前記紙幣番号データベースを検索して検索結果を出力する出力部と、を有することを特徴とする。
【０００８】
この構成によれば、顧客が購買したときの、金額、場所、時刻の情報を読み取れ、これらの情報から、顧客の購買パターンが把握されるため、一定の確実性をもって、種々のサービスを提供することができる。例えば値引きチケットサービスやポイントカードサービスなどである。
【０００９】
また、本発明の紙幣管理システムは、前記一の検索キーは、紙幣番号データであり、前記出力部は、前記検索キーとしての紙幣番号データに基づいて前記紙幣番号データベースを検索して一の紙幣番号に対応する複数の紙幣取扱装置の識別情報を時系列に出力することを特徴とする。
【００１０】
この構成によれば、複数の紙幣取り取扱装置の識別情報を時系列に出力することにより、顧客に釣銭として渡された紙幣が、次にどの店で利用されたかを知ることができ、顧客の購買ルートを把握できる。
【００１１】
また、上記紙幣管理システムにおいて、前記読取部は、前記顧客に釣銭として紙幣を渡す際に前記顧客から受け取った紙幣の紙幣番号データを読み取り、前記送信部は、前記顧客から受け取った紙幣の紙幣番号データを前記管理装置へ送信し、前記管理装置の紙幣番号データベースは、前記顧客から受け取った紙幣の紙幣番号データを関連付けて記憶し、前記管理装置は、前記顧客から受け取った紙幣の紙幣番号データのうち前記紙幣番号データベースに新規に登録されるものを合算し、さらに前記顧客に既に釣銭として支払われている紙幣の紙幣番号データの紙幣の金額を上記合算した金額から差し引いた金額に基づいて顧客の所持金を予測する予測部をさらに有することを特徴とする。
【００１２】
この構成によれば、例えば、ある店で一万円札での支払いに対し釣銭を千円札により行われた場合、次に別の店で上記千円札と共に別の千円札が支払いに使用されたとすると、顧客は、少なくとも１万１０００円以上の所持金を財布の中に持っていたと予想することができる。
【発明の効果】
【００１３】
本発明によれば、顧客の購買パターンが把握され、一定の確実性をもって、例えば顧客の購買パターンに適したサービスを提供することができる紙幣管理システムを提供することができる。
【発明を実施するための最良の形態】
【００１４】
以下、本発明を実施するための最良の形態について図面を用いて詳細に説明する。
【００１５】
図１は、本発明の紙幣管理システムの一実施形態を示すブロック図である。図１に示すように、紙幣管理システム１は、ＰＯＳレジスタ１０ａ〜１０ｃ（紙幣取扱装置）、管理サーバ５０、ネットワーク６０を備える。
【００１６】
ＰＯＳレジスタ１０ａ〜１０ｃは、会計処理を行うときに用いられる装置であり、店舗の店員によって操作される。そして、ＰＯＳレジスタ１０ａ〜１０ｃの操作及び機能によって得られた情報は、ネットワーク６０を介して、管理サーバ５０に送信される。
【００１７】
管理サーバ５０は、ＰＯＳレジスタ１０ａ〜１０ｃの紙幣読取部３０（読取部）によってそれぞれ読み取られた紙幣番号データ等を所定のネットワーク６０を介して受け取って管理する。管理サーバ５０は紙幣番号データベースを備える。具体的に本実施形態では、管理サーバ５０の紙幣番号データベースには、ＰＯＳレジスタ１０ａ〜１０ｃからの金額、場所、時刻などの情報に加え、紙幣番号データ、紙幣番号を関連付けるデータが登録されている。また、データは常時追加されていく。
【００１８】
ネットワーク６０は、ＰＯＳレジスタ１０ａ〜１０ｃと管理サーバ５０を接続する。ネットワークは、インターネットであってもいいし、他の専用回線を用いたネットワークであっても良い。
【００１９】
次に、ＰＯＳレジスタ１０ａについて図２を用いて詳細に説明する。図２は、図１に示したＰＯＳレジスタ１０ａを模式的に示す斜視図である。ＰＯＳレジスタ１０ａは、ＰＯＳ本体１１と、レジスタ本体１２と、店員用液晶表示装置１３と、客用液晶表示装置１４と、操作キー１５と、バーコードスキャナ１６と、磁気カードリーダ１７と、レシートプリンタ１８と、キャッシュドロア１９と、紙幣挿入口２０と、紙幣排出口２１と、貨幣投入口２２と、貨幣排出口２３と、を備えている。尚、本発明の実施形態では、ＰＯＳレジスタ１０ａは、紙幣取扱装置として機能する。
【００２０】
ＰＯＳ本体１１は、精算処理や管理サーバ５０とのデータの送受信の制御動作を行う装置である。ＰＯＳ本体１１の上部には、レジスタ本体１２が載置されている。レジスタ本体１２の上面手前側には、操作キー１５が設けられている。操作キー１５は、会計操作等を行うときに店員（ユーザ）により押下されることにより、必要な情報が入力される。操作キー１５には、店員が数値情報を入力するときに用いられるテンキー、商品入力が完了した際に店員によって操作される小計キー、値引処理等が完了した際に店員によって操作される合計キー等が含まれる。レジスタ本体１２の右側上部には、店員用液晶表示装置１３が立設されていて、その画面は、店員側（図中、手前側）を向いている。また、レジスタ本体１２の右側上部には、店員用液晶表示装置１３と背中合わせに、客用液晶表示装置１４が設けられている。
【００２１】
店員用液晶表示装置１３及び客用液晶表示装置１４は、会計操作等が行われるときに、当該会計に関する各種の情報を表示する。表示される情報としては、購入された商品の名称、単価、購入個数、小計金額、合計代金、客からの預かり金額、釣銭金額等がある。
【００２２】
レジスタ本体１２には、バーコードスキャナ１６が接続されている。バーコードスキャナ１６は、商品に付されたバーコードを読み取るためのものである。店舗に陳列される各商品には、品目ごとに、重複しないコードナンバーが予め設定されており、商品の包装容器には、該商品のコードナンバーに対応したバーコードが印刷されたシールが貼られている。バーコードスキャナ１６は、商品に付されたバーコードに光を照射し、その反射光を捉え、バーコードの黒白をデジタル信号に変換することにより、商品に付されたバーコードを読み取る。
【００２３】
操作キー１５の右隣には、磁気カードリーダ１７が設けられている。磁気カードリーダ１７の溝の内部には磁気ストライプからの磁界を読み取る機能を持つ磁気ヘッドが設けられており、この磁気ヘッドの上を磁気式クレジットカードの磁気ストライプが接触しながらスライドされることで、磁気カードリーダ１７は磁気式クレジットカードの磁気ストライプに記録されている情報を読み取る。読み取られた情報はネットワーク６０を介してカード会社の情報処理装置に出力され、該情報処理装置において認証及び決済が行われる。
【００２４】
操作キー１５の奥側には、レシートプリンタ１８が設けられている。レシートプリンタ１８は、レシートの出力を行う装置である。印字方法としては、特に限定されるものではなく、感熱式、ドット式等を挙げることができる。出力されるレシートには、購入された商品の名称、単価、購入個数、小計金額、合計代金、客からの預かり金額、釣銭金額等が表示される。
【００２５】
キャッシュドロア１９は、その中に現金等が収納されるものである。キャッシュドロア１９は、ＰＯＳ本体１１からの開放信号によりロック機構が解除され、スプリングの弾性でドロアを押し出して開放する機能を有する。
【００２６】
紙幣挿入口２０は、店員が顧客から受けった紙幣を挿入するところである。受け取った紙幣を挿入すると、内部の紙幣読取部３０で紙幣番号のデータが読まれ、記憶される。紙幣挿入口２０の近傍には、紙幣排出口２１がある。紙幣排出口２１は、釣銭としての紙幣が排出されるところである。紙幣が排出される際、内部の紙幣読取部３０で紙幣番号のデータが読まれ、記憶される。
【００２７】
貨幣投入口２２は、店員が顧客から受けった貨幣を投入するところである。貨幣投入口２２の下方には貨幣排出口２３がある。貨幣排出口２３は、釣銭としての貨幣が排出される場所である。
【００２８】
次にＰＯＳレジスタ１０ａの内部構成について図３を用いて詳細に説明する。図３は、図２に示したＰＯＳレジスタ１０ａの内部構成を示すブロック図である。
【００２９】
図３に示すように、ＰＯＳレジスタ１０ａは、ＰＯＳ本体１１、紙幣読取部３０、店舗用液晶表示装置１３、客用液晶表示装置１４、操作キー１５、バーコードスキャナ１６、磁器カードリーダ１７、を備える。紙幣読取部３０は、本発明における読取部として機能するものである。
【００３０】
ＰＯＳ本体１１は、ＣＰＵ１１ａ（中央処理装置）、ＲＯＭ１１ｂ（読み出し専用記憶装置）、ＲＡＭ１１ｃ（読み書き可能記憶装置）、通信Ｉ／Ｆ１１ｄ（インターフェイス）を備える。
【００３１】
紙幣読取部３０は、紙幣の紙幣番号、色、大きさなどの情報を読取り、ＲＡＭ１１ｃに記憶する。つまり、顧客に釣銭として紙幣を渡す際に顧客から受け取った紙幣の紙幣番号データを読み取る。また、顧客に釣銭として紙幣を渡す際にも顧客に渡す紙幣の紙幣番号データを読み取る。そして、紙幣読取部３０によって読み取った顧客に釣銭として渡した紙幣の紙幣番号データを紙幣取扱装置の識別情報と読み取り時刻情報に関連付けて、紙幣情報としてＲＡＭ１１ｃに記憶し、管理サーバ５０へ通信Ｉ／Ｆ（送信部）１１ｄから送信する。紙幣番号データは紙幣読取部３０で読み取られる。紙幣番号データには、挿入紙幣番号、排出紙幣番号があり、取引番号と関連付けられ、ＰＯＳ本体１１のＲＡＭ１１ｃに記憶される。紙幣番号データはその後、ネットワーク６０を介して、管理サーバ５０に通信Ｉ／Ｆ（送信部）１１ｄから送信される。紙幣読取部３０は、本発明における手段として機能するものである。
【００３２】
ここで紙幣番号情報は、紙幣読取装置の紙幣読取部３０から読まれた、紙幣の紙幣番号である。読取時刻情報は、上記紙幣読取部３０で紙幣が読まれた時刻である。識別情報は、紙幣読取装置の識別情報である。紙幣の入出区分情報は、顧客から紙幣を受け取ったのか、顧客に紙幣を渡したのかの違いを示す情報である。
【００３３】
ＲＡＭ１１ｃは、ＣＰＵ１１ａによる演算結果や処理結果等を示すデータを一時的に記憶する。ＲＡＭ１１ｃに記憶されるデータには、紙幣管理システムに必要な情報が記憶されている。例えば、紙幣番号情報、読取時刻情報、識別情報、紙幣の入出区分情報、などが入っている。その他、ＲＡＭ１１ｃには、データ各商品の商品コードに対応して品名，単価等の商品情報がプリセットされる商品情報ファイル、登録処理された各販売商品の販売データを商品別，部門別，取引別等に集計して売上合計データを記憶する各種売上合計器、前記ＣＰＵ１１ａが行う各種の演算処理に使用されるワークエリア等が形成されている。
【００３４】
ＲＯＭ１１ｂは、ＣＰＵ１１ａが各部を制御するためのプログラムデータや表示文字，印字文字のキャラクタジェネレータデータ等が予め格納されている。
【００３５】
ＣＰＵ１１ａは、ＲＯＭ１１ｂに記憶されたプログラムを読み出して実行し、演算処理や、通信Ｉ／Ｆ１１ｄによりネットワーク６０とのデータの送受信の制御動作を行う。特に本発明では、ＣＰＵ１１ａは、ＲＡＭ１１ｃに記載される紙幣読取部３０で読み取った紙幣の紙幣番号データと、紙幣取扱装置の識別情報と、読み取り時刻情報等とに関連付ける。そして、通信Ｉ／Ｆ１１ｄを介して、ネットワーク６０を通じて、管理サーバ５０とのデータ送受信を行う。
【００３６】
通信Ｉ／Ｆ１１ｄは、顧客から受け取った紙幣の紙幣番号データを、ネットワーク６０を介して、管理サーバ５０へ送信する。また管理サーバ５０からのデータを受信する。尚、本発明の実施形態では、通信Ｉ／Ｆは送信部として機能する。
【００３７】
店舗用液晶表示装置１３は、ＣＰＵ１１ａから信号を受信すると、その信号に応じた内容の文字や画像を、画面上に表示する。客用液晶表示装置１４は、ＣＰＵ１１ａから信号を受信すると、その信号に応じた内容の文字や画像を、画面上に表示する。操作キー１５は、押下されると、夫々のキーに割り当てられた所定の検出信号をＣＰＵ１１ａに送信する。バーコードスキャナ１６は、商品等に貼り付けられたバーコードの情報を読み取り、読み取った情報をＣＰＵ１１ａに送信する。商品に付されているバーコードを光学的に読み取り、ＰＯＳ本体１１に商品情報を送る。磁器カードリーダ１７は、磁気式クレジットカードの磁気ストライプに記録されている情報を読み取り、読み取った情報をＣＰＵ１１ａに送信する。顧客から受けとった磁気カードの情報を読取り、ＰＯＳ本体１１に磁気カードの情報を送る。
【００３８】
紙幣読取部３０は、紙幣挿入口２０から取り込まれた紙幣の紙幣番号データを読取り、また、紙幣排出口２１から紙幣を排出される。釣銭としての紙幣の紙幣番号データも読み取る。そして、各紙幣番号をＲＡＭ１１ｃに記憶させる。尚、紙幣読取部３０は、本発明における読取部として機能するものである。
【００３９】
次に、管理サーバ５０について図４において詳細に説明する。図４は、図１に示した管理サーバ５０の内部構成を示すブロック図である。図４に示すように、管理サーバ５０は、制御手段であるＣＰＵ５１、ＲＯＭ５２、記憶手段の一例であるＲＡＭ５３、通信Ｉ／Ｆ５４、ハードディスクドライブ５５と、を備える。
【００４０】
ハードディスクドライブ５５には、後述する顧客から受け取った紙幣の紙幣番号情報、釣銭として渡された紙幣の紙幣番号情報、紙幣取扱装置を識別する識別情報、紙幣の読取時刻情報と、これらをリンクした紙幣識別情報と、紙幣番号データベース等が記憶されている。また、ＣＰＵ５１は、ＲＯＭ５２から読み出したプログラムを基に、ハードディスクドライブ５５から情報を読出し、ＲＡＭ５３に一時的に記憶し、出力処理を行う。出力処理された情報は、ＲＡＭ５３に一時的に記憶され、再びハードディスクドライブ５５に記憶される。
【００４１】
ＲＯＭ５２には、ＣＰＵ５１が各部を制御するためのプログラムデータ等が予め格納されている。上記プログラムには、出力処理を行うプログラムデータなどがある。その他、ＣＰＵ５１が参照する各種テーブルなどが記憶されている。
【００４２】
ＲＡＭ５３は、ＰＯＳレジスタ１０ａから送信されたデータや、ＣＰＵ５１による演算結果や処理結果等を示すデータを一時的に記憶する。また、ＣＰＵ５１が行う各種の演算処理に使用されるワークエリア等が形成されている。ＲＡＭ５３に記憶されるデータには、以下のものがある。ＲＡＭ５３には、紙幣管理システムに必要な情報が記憶されている。例えば、紙幣番号情報、読取時刻情報、識別情報、紙幣の入出区分情報、などが入っている。
【００４３】
ここで、紙幣番号情報は、紙幣読取装置の紙幣読取部３０から読まれた、紙幣の紙幣番号である。読取時刻情報は、上記紙幣読取部３０から紙幣が読まれた時刻である。識別情報は、紙幣読取装置の識別情報である。紙幣の入出区分情報は、顧客から紙幣を受け取ったのか、顧客に紙幣を渡したのかの違いを示す情報である。
【００４４】
ＣＰＵ５１には、ＲＯＭ５２、ＲＡＭ５３などが接続されており、ＲＯＭ５２に記憶されたプログラムに従って、各種の処理を実行する機能を有する。
【００４５】
又、ＣＰＵ５１は、ハードディスクドライブ（紙幣番号データベース）から、読み出す紙幣識別情報と、ＲＯＭ５２から読み出すプログラムと、ＲＡＭ５３のデータを用いて、目的のデータを作成するなどの出力処理を行う。（例えば、後述する図８、図１０）。出力した情報を、ハードディスクドライブに紙幣番号データベースを記憶する。尚、本発明の実施形態ではＣＰＵ５１は、出力部として機能する。
【００４６】
通信Ｉ／Ｆ（インターフェイス）５４は、ＣＰＵ５１がネットワーク６０を介してＰＯＳレジスタ１０ａ〜１０ｃとデータの受信を行うためのものである。また、上述のＣＰＵ５１から出力処理されたデータなどを、ＰＯＳレジスタ１０ａ〜１０ｃへ送信するためのものである。
【００４７】
＜紙幣情報処理の流れ＞
次に、ＰＯＳレジスタ１０ａによって行われる紙幣情報処理の一例について、図５を参照に詳細に説明する。図５は、紙幣管理処理を行うときのルーチンを示すフローチャートである。
【００４８】
まず、ステップＳ１０１において、ＣＰＵ１１ａは紙幣が投入されたか否かを判定する処理を行う。この処理において、ＣＰＵ１１ａは紙幣が正しく投入されたと判定される場合には、ステップＳ１０２に移行する。紙幣が投入されず貨幣のみの支払いの場合や、対応しない紙幣、紙幣以外の紙葉状のものが誤って紙幣挿入口２０に入れられた場合など、紙幣が正しく投入されたと判定されない場合には、本紙幣情報処理を終了する。
【００４９】
ステップＳ１０２において、ＣＰＵ１１ａは受取紙幣読取処理を行う。この処理においてＣＰＵ１１ａは紙幣読取部３０を用いて、投入された紙幣の紙幣番号を読取る。その情報をＰＯＳ本体１１のＲＡＭ１１ｃに紙幣番号情報として記憶させる。同時にＰＯＳ本体１１の識別情報と、上記紙幣を読み取った時刻の読取時刻情報についても所定の場所に記憶する。また、紙幣の入出区分情報については、「入」として所定の場所に記憶する。紙幣が複数枚ある場合は、全ての紙幣について、各情報をＲＡＭ１１ｃに記憶させる。この処理が終了した場合には、ステップＳ１０３に移行する。
【００５０】
ステップＳ１０３では、ＣＰＵ１１ａは紙幣の釣りが発生するか否かを判定する。ＣＰＵ１１ａは会計処理を行った結果、釣銭に紙幣が含まれると判定された場合、釣銭読取処理Ｓ１０４に移行する。釣銭に紙幣が含まれると判定されない場合、ステップＳ１０５に移行する。
【００５１】
ステップＳ１０４において、ＣＰＵ１１ａは払出紙幣の読取をする処理を行う。この処理においてＣＰＵ１１ａは紙幣読取部３０を用いて、払出しされる釣銭の紙幣番号を読取る。その情報をＰＯＳ本体１１のＲＡＭ１１ｃに紙幣番号情報として、ＰＯＳ本体１１の識別させる情報と、上記紙幣を読み取った時刻の読取時刻情報と、紙幣の入出区分情報については、「出」として記憶する。紙幣が複数枚ある場合は、全ての紙幣について、各情報をＲＡＭ１１ｃに記憶させる。この処理が終了した場合には、ステップＳ１０５に移行する。
【００５２】
ステップＳ１０５では、ＣＰＵ１１ａは各読取装置番号を識別情報と読取時刻情報をリンクする処理を行う。この処理においてＣＰＵ１１ａは各読取紙幣番号を識別情報と読取時刻情報にリンクさせる。ここで、識別情報とは、ＰＯＳレジスタ１０が個々に持つ識別情報であり、どのＰＯＳレジスタ１０で行われたのかを示す。読取時刻情報は各ＰＯＳレジスタ１０の紙幣読取部３０で紙幣の紙幣番号情報を読み取ったときの時刻を示す情報である。この処理が終了した場合には、ステップＳ１０６に移行する。リンクのさせ方については後述する図６で詳細に説明する。
【００５３】
ステップＳ１０６では、ＣＰＵ１１ａは紙幣識別情報として記憶する処理をする。この処理において、ＣＰＵ１１ａはリンクさせた情報を紙幣識別情報として、ＲＡＭ１１ｃの所定の場所に格納し記憶する。リンクした情報を他の情報とさらに関連付けた上で、紙幣識別情報としてもよい。この処理が終了した場合には、ステップＳ１０７に移行する。
【００５４】
ステップＳ１０７では、ＣＰＵ１１ａは紙幣識別情報を管理サーバ５０へ送信する処理を行う。この処理において、ＣＰＵ１１ａは通信Ｉ／Ｆ１１ｄを制御し、上記紙幣識別情報を、ネットワーク６０を介して、管理サーバ５０へ送信する。この処理が終了した場合には、本紙幣情報処理を終了する。
【００５５】
図５ステップＳ１０５での、各読取紙幣番号を識別情報と読取時刻情報にリンクする処理について、図８を用いて詳細に説明する。図８は、紙幣番号情報の関連付けデータの一例を示す図である。
【００５６】
図８において、左端の紙幣番号列に表示のデータ（Ａ，Ｂ，Ｃなど）は、顧客から渡された紙幣すなわち紙幣挿入口２０から挿入された紙幣番号データ、または顧客に渡した紙幣すなわち、紙幣排出口２１から排出された紙幣番号データである。紙幣番号列の右に設けられた入出列に表示のデータは、顧客から受けとった紙幣は「入」として、顧客に渡した紙幣は「出」として、区分し表示したものである。入出列の右に設けられたＰＯＳ列に表示してある情報は、個々のＰＯＳレジスタ１０の識別情報である。ＰＯＳ列の右に設けられた日時列に表示のデータは、読取時刻情報である。図８においては個々の識別情報データから次のことが示されている。例えば、紙幣Ａについては２００８年１月１日１６時に、ＰＯＳレジスタ１０ａで、顧客から受け取ったことを示す。
【００５７】
次は、管理サーバ５０によって行われる紙幣情報処理について、図６を用いて詳細に説明する。図６は、紙幣管理処理を行うときのルーチンを示すフローチャートである。
【００５８】
まず、ステップＳ２０１では、ＣＰＵ５１は紙幣識別情報の受信が有るか否かを判定する。この処理において、管理サーバ５０のＣＰＵ５１は通信Ｉ／Ｆ５４を介してネットワーク６０からの紙幣識別情報の受信が有るか否かを判定する。紙幣識別情報の受信が有ると判定される場合、ステップＳ２０２に移行する。紙幣識別情報の受信が有ると判定されない場合、処理を終了する。
【００５９】
ステップＳ２０２では、ＣＰＵ５１は紙幣識別情報をＰＯＳ情報とリンクする処理を行う。この処理において、ＣＰＵ５１は受信した紙幣識別情報をＰＯＳ情報とリンクして記憶する。ここで、ＰＯＳ情報はハードディスクドライブ５５に記憶されるデータベースなどの情報である。この処理が終了した場合には、ステップＳ２０３に移行する。
【００６０】
ステップＳ２０３では、ＣＰＵ５１はリンク情報出力命令が有るか否かを判定する。この処理において、ＣＰＵ５１はリンク情報に対しての出力命令が有るか否かを判定する。出力命令が有ると判定される場合は、ステップＳ２０４に移行する。出力命令が有ると判定されない場合は、ステップＳ２０５に移行する。
【００６１】
ステップＳ２０４では、リンク情報出力処理をする。この処置において、ＣＰＵ５１はハードディスクドライブ５５からリンク情報を読出し、出力処理を行う。この処理が終了した場合には、ステップＳ２０５に移行する。ここで出力処理としては、予め決められた複数の検索キーの中から少なくとも一の検索キーに基づいて、紙幣番号データベースを検索して検索結果を出力する出力処理をする。具体的には、検索キーは、金額、場所、時刻、紙幣番号、紙幣額面などである。尚、検索キーとしての紙幣番号データに基づいて紙幣番号データベースを検索して、一の紙幣番号に対応する複数の紙幣取扱装置の識別情報を時系列に出力した一例は後述する図９を用いて詳細に説明する。
【００６２】
ステップＳ２０５では、ＣＰＵ５１は紙幣エラーが有るか否かを判定する。この処理において、ＣＰＵ５１は紙幣エラーであるか否かを、例えば登録されている情報の中から、受信した紙幣識別情報の含まれる紙幣が問題のある紙幣として登録されているものと一致するかで判断する。紙幣エラーが有ると判定される場合、ステップＳ２０６に移行する。紙幣エラーが有ると判定されない場合、本紙幣情報処理を終了する。
【００６３】
ステップＳ２０６では、ＣＰＵ５１はエラー信号を送信する処理を行う。この処理において、ＣＰＵ５１は，通信Ｉ／Ｆ５４を用い、エラー信号を、ネットワーク６０を介して、ＰＯＳレジスタ１０へ返信する。この処理が終了した場合には、本紙幣情報処理を終了する。
【００６４】
次に、エラー表示処理について、図７を用いて詳細に説明する。図７はエラー表示処理のルーチンを示すフローチャートである。
【００６５】
まず、ステップＳ３０１において、ＣＰＵ１１ａはエラー信号が受信されたか否かを判定する。この処理において、レジスタ本体１２のＣＰＵ１１ａはネットワーク６０を介して、管理サーバ５０からエラー信号の受信があったか否かを判定する。エラー信号は、図７ステップＳ２０６で、管理サーバ５０から送信されたものである。エラー信号が受信されたと判定される場合、ステップＳ３０２に移行する。エラー信号が受信されたと判定されない場合、本エラー表示処理を終了する。ステップＳ３０２では、ＣＰＵ１１ａは信号に基づいた情報を表示する表示処理を行う。この処理において、ＣＰＵ１１ａはエラー信号に基づいた情報をＰＯＳレジスタ１０ａの店員用液晶表示装置１３に表示する。この処理が終了した場合には、本エラー表示処理を終了する。
【００６６】
本紙幣管理システムを顧客の購買パターンの把握に活用する一例を示す。紙幣番号データを検索キーに検索を行った一例を、図９を用いて詳細に説明する。図９は、図６ステップＳ２０４において紙幣番号データを検索キーに複数の紙幣読取装置の識別情報を時系列に出力した一例を示すものである。本例の説明を容易にするためにそれぞれＰＯＳレジスタ１０ａ、ＰＯＳレジスタ１０ｂ、ＰＯＳレジスタ１０ｃは、別々の店舗にある、とする。
【００６７】
図９において、紙幣番号列に表示のデータ（Ａ、Ｂ、Ｃ、Ｆなど）は、顧客から渡された紙幣の紙幣番号データ、または顧客に渡した紙幣番号データである。入出列に表示のデータは、顧客から受けとった紙幣には、たとえば「入」として、顧客に渡した紙幣には、たとえば「出」として、区分し表示したものである。ＰＯＳ列に表示してある情報は、個々のＰＯＳレジスタ１０を示す識別情報である。日時列に表示のデータは、読取時刻情報である。
【００６８】
リンクデータから以下のことが推測できる。紙幣ＡはＰＯＳレジスタ１０ａで２００８年１月１日１６時に顧客から渡されており、同時刻、同一のＰＯＳレジスタ１０ａから紙幣Ｂが顧客に渡されていることが理解される。その後紙幣ＢはＰＯＳレジスタ１０ｂで２００８年１月１日１７時に支払いに供されていることが読み取れる。つまり、この紙幣Ｂの所持者は、紙幣を他者に渡すことがなければ、ＰＯＳレジスタ１０ａで買い物をした後、同日１時間後にＰＯＳレジスタ１０ｂの店舗に赴き買い物をしていることが推測できる。
【００６９】
更に、紙幣ＢはＰＯＳレジスタ１０ｂで顧客から渡されたとき、同時刻、同一のＰＯＳレジスタ１０ｂから紙幣Ｆが顧客に渡されている。紙幣ＦはＰＯＳレジスタ１０ｃで２００８年１月２日１８時に支払いに供されていることが読み取れる。つまり、紙幣Ａを使用した顧客は、ＰＯＳレジスタ１０ａで２００８年１月１日１６時に買い物をし、１時間後の２００８年１月１日１７時にＰＯＳレジスタ１０ｂで買い物をし、更に２００８年１月１日１８時、ＰＯＳレジスタ１０ｃで買い物をしたことまでも推測できる。このようにして、顧客の購買パターン、購買ルートが明らかになる。
【００７０】
このような情報の分析の結果を蓄積し、金額、場所、時刻等の情報から、繰返し使われる購買ルートが一定の確実性をもって明らかにできる。その情報を基に、例えば、ＰＯＳレジスタ１０ａを備える店舗で買い物したのちＰＯＳレジスタ１０ｂを備える店舗で買い物をするという顧客の傾向があれば、ＰＯＳレジスタ１０ａを備える店舗にＰＯＳレジスタ１０ｂを備える店舗についての広告媒体を設置することや、サービスチケットなどを設置することで、より効果的な販売促進を期待できる。更に、３店舗以上のＰＯＳレジスタ１０間（例えばＰＯＳレジスタ１０ａ、ＰＯＳレジスタ１０ｂ、ＰＯＳレジスタ１０ｃなど）でも、同様に期待できる。つまり、購買パターンの把握によって、最適化したサービスを効果的に提供することができる。また、そのサービスを効果的に提案することができる。
【００７１】
本紙幣管理システムを防犯に活用する例を示す。他の実施様態として、エラー信号を利用する様態について図６、図８を用いて詳細に説明する。
【００７２】
ここで、信号に基づいた情報とは、例えば、使用された紙幣が、偽造紙幣であることを示す情報、盗難紙幣であることを示す情報などである。そのＰＯＳレジスタ１０ａを使用している店員は、店員用表示液晶装置１３によって、ただちにこれら情報を知り、それらの状況を把握するができる。
【００７３】
たとえば、盗難にあった紙幣など問題のある紙幣がＰＯＳレジスタ１０ａで使用されたとき、ただちに店員は、紙幣の使用者が盗難紙幣の使用者であることが把握される。迅速に通報を行え、問題のある紙幣を使用した人物を直接追跡することが可能となる場合もある。
【００７４】
また、問題のある紙幣が繰返し使用された場合などでは、その紙幣を使用する人物の購買ルート、購買パターンを分析し、同一店舗で買い物をする時刻等などが予測できる。そのため、事前に対処するための準備を行うことが可能となる。
【００７５】
本紙幣管理システムを顧客の所持金額の予測に活用する例を示す。他の出力処理の実施態様について、図１０を用いて詳細に説明する。図１０は、図６のステップＳ２０４において、紙幣番号データを検索キーに複数の紙幣読取装置の識別情報を時系列に出力した他の一例を示す図である。ここで、ＣＰＵ１１ａは予測部として機能する。
【００７６】
顧客から受け取った紙幣の紙幣番号データ（Ｇ、Ｈ、Ｉ）のうち紙幣番号データベースに新規に登録されるもの（Ｇ、Ｉ）を合算し、さらに顧客に既に釣銭として支払われている紙幣の紙幣番号データ（Ｈ）の紙幣の金額を上記合算した金額から差し引いた金額に基づいて顧客の所持金を予測することができる。
【００７７】
ここでは、例えば次のことが明らかになる。ある店（ＰＯＳレジスタ１０ａ）で一万円札（紙幣Ｇ）での支払いに対し釣銭を千円札（紙幣Ｈ）により行われた場合、次に別の店（ＰＯＳレジスタ１０ｂ）で上記千円札（紙幣Ｈ）と共に別の千円札（紙幣Ｉ）が支払いに使用された場合、顧客は、初めのある店（ＰＯＳレジスタ１０ａ）で買い物をした時間（２００８年２月１日１６時）の直前に、少なくとも１万１０００円以上の所持金を財布の中に持っていたと予想することができる。
【００７８】
本実施形態によれば、顧客が購買したときの、金額、場所、時刻の情報を読み取れ、これらの情報から、顧客の購買パターンが把握されるため、一定の確実性をもって、種々のサービスを提供することができる。例えば値引きチケットサービスやポイントカードサービスなどである。また、複数の紙幣取り取扱装置の識別情報を時系列に出力することにより、顧客に釣銭として渡された紙幣が、次にどの店で利用されたかを知ることができ、顧客の購買ルートを把握できる。さらに、例えば、ある店で一万円札での支払いに対し釣銭を千円札により行われた場合、次に別の店で上記千円札と共に別の千円札が支払いに使用されたとすると、顧客は、少なくとも１万１０００円以上の所持金を財布の中に持っていたと予想することができる。
【００７９】
以上、本発明の好ましい実施例について詳述したが、本発明は上述した実施例に限定されるものではなく、特許請求の範囲に記載された本発明の要旨の範囲内において、種々の変形、変更が可能である。
【図面の簡単な説明】
【００８０】
【図１】本発明に係る紙幣管理システムの一実施形態を示すブロック図である。
【図２】図１に示したＰＯＳレジスタを模式的に示す斜視図である。
【図３】図２に示したＰＯＳレジスタの内部構成を示すブロック図である。
【図４】図１に示した管理管理サーバの内部構成を示すブロック図である。
【図５】紙幣情報処理を行うときのルーチンを示すフローチャートである。
【図６】紙幣番号データのデータファイル一例を示す図である。
【図７】紙幣管理処理を行うときのルーチンを示すフローチャートである。
【図８】紙幣番号データを検索キーに複数の紙幣読取装置の識別情報を時系列に出力した一例を示す図である。
【図９】エラー表示処理を行うときのルーチンを示すフローチャートである。
【図１０】紙幣番号データを検索キーに複数の紙幣読取装置の識別情報を時系列に出力した他の一例を示す図である。
【符号の説明】
【００８１】
１      紙幣管理システム
１０    ＰＯＳレジスタ
１０ａ  ＰＯＳレジスタ
１０ｂ  ＰＯＳレジスタ
１０ｃ  ＰＯＳレジスタ
１１    ＰＯＳ本体
１１ａ  ＣＰＵ
１１ｂ  ＲＯＭ
１１ｃ  ＲＡＭ
１１ｄ  通信Ｉ／Ｆ（インターフェイス）
１２    レジスタ本体
１３    店員用液晶表示装置
１４    客用液晶表示装置
１５    操作キー
１６    バーコードスキャナ
１７    磁気カードリーダ
１８    レシートプリンタ
１９    キャッシュドロア
２０    紙幣挿入口
２１    紙幣排出口
２２    貨幣投入口
２３    貨幣排出口
３０    紙幣読取部
５０    管理サーバ
５１    ＣＰＵ
５２    ＲＯＭ
５３    ＲＡＭ
５４    通信Ｉ／Ｆ（インターフェイス）
５５    ハードディスクドライブ
６０    ネットワーク
【図１】
0005229874.tif 000002
【図２】
0005229874.tif 000003
【図３】
0005229874.tif 000004
【図４】
0005229874.tif 000005
【図５】
0005229874.tif 000006
【図６】
0005229874.tif 000007
【図７】
0005229874.tif 000008
【図８】
0005229874.tif 000009
【図９】
0005229874.tif 000010
【図１０】
0005229874.tif 000011